(57)【要約】【課題】円弧圧力が形成され、腸骨稜が後方に倒されたときに、生理的に合わない姿勢を正すように作用する事務椅子用フレキシブル型背もたれを提供する。【解決手段】本発明は、事務椅子用フレキシブル型背もたれにおいて、背もたれの範囲では少なくとも垂直方向に延設され、背もたれ支持部（１）に割り当てられた連接システム（１０）を介して旋回するように蝶着された縦渦巻きバネ（２，３）を配置していることを特徴とする背もたれを背もたれ支持部（１）に組み込んだシート面（５）を有する。【選択図】  図１
2008302229.tif 000002
【特許請求の範囲】
【請求項１】
背もたれが背もたれ支持部（１）を有し、組み込まれた連接システム（１０）によって背もたれ支持部（１）で旋回できるように蝶着されて背もたれの範囲に少なくとも垂直方向に延設された縦渦巻きバネ（２，３）を配置し、シート面（５）を備えた事務椅子用フレキシブル型背もたれであって、背もたれは少なくとも縦渦巻きバネ（２，３）によってのみ構成され、オプションでクッションに組み込まれていることを特徴とする事務椅子用フレキシブル型背もたれ。
【請求項２】
背もたれが背もたれ支持部（１）を有し、組み込まれた連接システム（１０）によって背もたれ支持部（１）で旋回できるように蝶着されて背もたれの範囲に少なくとも垂直方向に延設された縦渦巻きバネ（２，３）を配置し、シート面（５）を備えた事務椅子用フレキシブル型背もたれであって、少なくとも縦渦巻きバネ（２，３）がクッション支持部（２５）の背後に配置され、少なくとも縦渦巻きバネ（２，３）はそのバネ性能と利用者の脊柱への適合をフレキシブルなクッション支持部（２５）によってももたらすことができることを特徴とする事務椅子用フレキシブル型背もたれ。
【請求項３】
背もたれが背もたれ支持部（１）を有し、組み込まれた連接システム（１０）によって背もたれ支持部（１）で旋回できるように蝶着されて背もたれの範囲に少なくとも垂直方向に延設された縦渦巻きバネ（２，３）を配置し、連接システム（１０）は各縦渦巻きバネ（２，３）の３つの旋回点（１３，１８，２０）から構成され、３つの旋回点（１３，１８，２０）は縦渦巻きバネ（２，３）の全部で４つの分離した部分（６，７，８，９）を区画し、シート面（５）を備えた事務椅子用フレキシブル型背もたれであって、連接システム（１０）は上部三角連接部（１１）を有し、ハンドルレバー（１２，１７）はそれぞれ強固に締結され、バネ（１５）の自由前端に配置された自在支承部（１６）としてのベースを構成し、連接システム（１０）はさらに簡素な下部ハンドルレバー（１９）を有しているという特徴と、上部三角連接部（１１）は上側が頸部（６）、下側が各縦渦巻きバネ（２，３）の前彎部（８）となる各縦渦巻きバネ（２，３）の胸椎部（７）を区画し、下部ハンドルバー（１９）は下側が各縦渦巻きバネ（２，３）の腸骨稜部（９）となるこの前彎部（８）を区画することを特徴とする事務椅子用フレキシブル型背もたれ。
【請求項４】
相互に平行配置されて相互に距離を保った２つの縦渦巻きバネ（２，３）を有し、背もたれの垂直方向全長にわたって延設されていることを特徴とする請求項１から３までのいずれかに記載のフレキシブル型背もたれ。
【請求項５】
連接システム（１０）が縦渦巻きバネ（２，３）の３つの旋回点（１３，１８，２０）で構成され、３つの旋回点（１３，１８，２０）は縦渦巻きバネ（２，３）の全部で４つのそれぞれ分離した部分（６，７，８，９）を区画していることを特徴とする請求項１、２または４のいずれかに記載のフレキシブル型背もたれ。
【請求項６】
連接システム（１０）は上部三角連接部（１１）を有し、ハンドルレバー（１２，１７）はそれぞれ強固に締結され、バネ（１５）の自由前端に配置された自在支承部（１６）としてのベースを構成し、連接システム（１０）はさらに簡素な下部ハンドルレバー（１９）を有していることを特徴とする請求項１、２、４または５のいずれかに記載のフレキシブル型背もたれ。
【請求項７】
自在支承部（１６）のバネ（１５）が、板バネ、エラストマーバネ、ガスバネ、コイルバネ、螺旋バネまたは渦巻きバネで構成されていることを特徴とする請求項３、４または６のいずれかに記載のフレキシブル型背もたれ。
【請求項８】
上部三角連接部（１１）は上側が頸部（６）、下側が各縦渦巻きバネ（２，３）の前彎部（８）となる各縦渦巻きバネ（２，３）の胸椎部（７）を区画し、下部ハンドルバー（１９）は下側が各縦渦巻きバネ（２，３）の腸骨稜部（９）となるこの前彎部（８）を区画することを特徴とする請求項１または２、４から７のいずれかに記載のフレキシブル型背もたれ。
【請求項９】
前彎部（８）と腸骨稜部（９）において、少なくとも縦渦巻きバネ（２，３）が外側の背もたれ支持部（１）から利用者の脊柱の腸骨稜部方向に押し込むことを特徴とする請求項８に記載のフレキシブル型背もたれ。
【請求項１０】
生理的に望ましい姿勢のとき、少なくとも縦渦巻きバネ（２，３）は無条件で利用者の脊柱に合わせて適合し、背中全体と骨盤を通じて利用者の脊柱に均等に加圧することを特徴とする請求項１から９までのいずれかに記載のフレキシブル型背もたれ。
【請求項１１】
少なくとも縦渦巻きバネ（２，３）が鋼、ガラス繊維強化プラスチック、炭素繊維強化プラスチックまたはそれらの組み合わせにより構成されていることを特徴とする請求項１から１０までのいずれかに記載のフレキシブル型背もたれ。
【請求項１２】
少なくとも縦渦巻きバネ（２，３）は、背もたれクッションを受け入れるフレキシブルシェルであるクッション支持部（２５）に組み込まれていることを特徴とする請求項１から１１までのいずれかに記載のフレキシブル型背もたれ。
【請求項１３】
事務椅子の背もたれが少なくとも縦渦巻きバネ（２，３）を構成し、オプションでクッションに組み込まれていることを特徴とする請求項２から１２までのいずれかに記載のフレキシブル型背もたれ。
【請求項１４】
少なくとも縦渦巻きバネ（２，３）がクッション支持部（２５）の背部に配置され、少なくとも縦渦巻きバネ（２，３）はそのバネ性能と利用者の脊柱への適合をフレキシブルなクッション支持部（２５）によってももたらすことができるほどフレキシブルな構成であることを特徴とする請求項１と3から１３までのいずれかに記載のフレキシブル型背もたれ。
【請求項１５】
フレキシブル型背もたれが事務椅子の同期機構と連結していることを特徴とする請求項１から１４までのいずれかに記載のフレキシブル型背もたれ。
【発明の詳細な説明】
【技術分野】
【０００１】
本発明は、請求項１の上位概念による事務椅子用フレキシブル型背もたれに関する。
【背景技術】
【０００２】
独国特許出願公開第１０２００４０３２７６５号明細書の対象によって、フレキシブル型背もたれの事務椅子が公知となっており、背もたれは水平に延設配置した多数のチャンバーを有するプラスチック断面を形成し、背もたれの垂直中心下部の水平軸にフレームを有する背もたれは背もたれの下端から離れて位置している。
【０００３】
中空チャンバーを形成することによって、フレキシブル型背もたれは利用者の脊柱に最適に合うように略二重Ｓ字状を形成することができる。
【０００４】
この独国特許出願公開第１０２００４０３２７６５号明細書と欧州特許出願公開第１６１９０７２号明細書において、さらにフレキシブル型背もたれの硬さを調節できるエアチャンバーも記載している。しかし、この配置では、腰掛けているときに利用者の脊柱が動的に移動した場合に一定の圧力を脊柱に分布させるのは不可能である。腸骨稜部の腰部脊柱が倒れて胸部脊柱が弧状に前方へ倒れることによって生じるいわゆる円弧圧力に対抗するのは特に不可能である。前記明細書は、このような生理的に合わない姿勢を回避する対策をとっていない。
【０００５】
米国特許出願公開第２００６／０１８１１２６号明細書も同様に、水平薄板を組み込んで場合によってはフレキシブルとなるフレキシブル型背もたれについて記載している。しかしこのフレキシブル薄板によっても、腸骨稜が倒れて姿勢が変わるのを抑えることはできない。
【特許文献１】独国特許出願公開第１０２００４０３２７６５号
【特許文献２】欧州特許出願公開第１６１９０７２号
【特許文献３】米国特許出願公開第２００６／０１８１１２６号
【発明の開示】
【発明が解決しようとする課題】
【０００６】
本発明は、冒頭に挙げた様式の事務椅子用フレキシブル型背もたれを、円弧圧力が形成されて腸骨稜が後ろ側に倒れるときに生理的に合わない姿勢を防止するように形成することを課題としている。
【課題を解決するための手段】
【０００７】
この課題を解決するために、本発明では請求項１の技術指針によって特徴づけている。
【０００８】
本発明の主な特徴は、背もたれの範囲に少なくとも縦方向に延設した縦渦巻きバネを配置し、背もたれ支持部に連結した連接システムによって旋回可能に蝶着している。
【０００９】
本発明の優先形態では、相互に平行配置して相互に離れている２つの縦渦巻きバネを有していることを優先し、縦渦巻きバネの長さは支える脊柱の全長に適合しなければならない。
【００１０】
提示した技術指針では、脊柱の二重Ｓ字形を（背中の位置にかかわらず）動的に対応し、前記縦渦巻きバネによって脊柱に常に同じ圧力を作用させることを初めて可能にしていることが主な利点である。
【００１１】
本発明によって縦渦巻きバネは連接システムを通じて支持されることにより、連接システムの構成により腸骨稜が後部に倒れることに対応することを初めて可能にする別の特徴が生じ、腸骨稜が後部に倒れたときに縦渦巻きバネが腸骨稜に強い反圧を与えるように連接システムが構成される。その結果、背もたれの利用者は腸骨稜が倒れたときに強い反圧が生じることを感じ、その姿勢が生理的に合わず望ましくはないことが分かる。
【００１２】
腸骨稜に縦渦巻きバネの強い圧力が作用することによって生理的に合わず望ましくはない姿勢を感じるという、いわば利用者への「無言の学習」である。こうして、姿勢を正すことができる。
【００１３】
つまり、利用者が無意識に学習し、円弧圧力を回避することになる。
【００１４】
本発明の優先形態では、連接システムが縦渦巻きバネの３つの旋回点で構成され、３つの旋回点は縦渦巻きバネの全部で４つの分離した部分を区画している。
【００１５】
正確にいうと、連接システムはハンドルレバーが強固に締結された三角連接部で構成され、そのベースは板バネの自由前端に配置された自在支承部として構成されている。
【００１６】
もちろん、本発明は板バネの構成に限定しているわけではない。板バネに代えて、エラストマーバネ、ガスバネ、コイルバネ、螺旋バネ、渦巻きバネなど別の応力蓄積手段を利用してもよい。
【００１７】
三角連接部を強固にし、胸部脊柱範囲で不快な座り心地とならないように板バネのフレキシブルな端部に自在支承部を配置することが重要である。
【００１８】
したがって、姿勢を真っ直ぐに保ち、胸部脊柱が押し出されないように、縦渦巻きバネは背もたれ支持部にフレキシブルに形成される。
【００１９】
さらに、前記三角連接部から離れて縦渦巻きバネの別の部分を区画する別の単純な連接部が接続していることが重要である。三角連接部が前彎部とそれに続く縦渦巻きバネの腸骨稜部を区画するので、この部分はきわめて重要である。
【００２０】
胸椎部の圧力によって上部三角連接部が作用すると、縦渦巻きバネは背もたれ支持部方向に向きを変え、三角連接部の上部で同時に向きを変える。加えて、頸部と上部胸椎部における縦渦巻きバネの上部は、上部頸部と胸椎部に押される。つまり、肩部に支持作用が生じる。
【００２１】
前彎部と腸骨稜部では縦渦巻きバネは外側へ調整される。つまり、背もたれ支持部から離れ、脊柱の腸骨稜部を強く押す。
【００２２】
生理的に望ましい姿勢であれば、まず縦渦巻きバネは無条件に利用者の脊柱に適合し、背中全体と腸骨稜部を通じて脊柱に均等な加圧力を配分することが重要である。
【００２３】
胸椎部が前方に倒れる（円弧圧力の形成）ことによって、腸骨稜は後方に倒れがちとなり、縦渦巻きバネの前彎部において下部連接部を押し（腸骨稜部）、この腸骨稜部に「過大な」反圧を作用させる。
【００２４】
利用者はそれを場合によっては不快と感じ、骨盤を生理的に合う位置に戻すので、円弧圧力を回避するために腸骨稜部を前方に倒す。
【００２５】
したがって、縦渦巻きバネの形態では次の特徴が重要である。
【００２６】
１．１つまたは２つの縦渦巻きバネの利用が解決に欠かせないが、３つ以上の縦渦巻きバネを利用することもできる。
【００２７】
２．縦渦巻きバネは、クッション支持部が背もたれクッションを受け入れるフレキシブルシェルであるクッション支持部に組み込むことができる。
【００２８】
３．縦渦巻きバネは、ガラス繊維強化プラスチック、炭素繊維強化プラスチックなどのプラスチックや鋼製の単純板バネで製作することができる。
【００２９】
もちろん、縦渦巻きバネを、積層板やプラスチックと木の組み合わせなど組み合わせ材料で製作することもできる。
【００３０】
さらに本発明では、複数の要素、つまり次に記載するような各種実施形態を有している。
【００３１】
１．事務椅子用背もたれを、縦バネをクッションに組み込んだ縦バネのみで形成する。
【００３２】
２．縦バネをクッション支持部に組み込む。つまり縦バネは、プラスチック材、木材、鋼材、組み合わせ材などで製作されるクッション支持部の組み込み要素となる。
【００３３】
３．縦バネをクッション支持部の背部に配置し、縦バネがバネ性能と利用者の脊柱への適合化をフレキシブルなクッション支持部によってももたらされるようにフレキシブルな構成にする。
【００３４】
さらにフレキシブル型背もたれは、事務椅子の機構とは完全に独立している。したがって、フレキシブル型背もたれを事務椅子の機構と同期する同期機構と組み合わせることも、組み合わせないことも可能である。
【００３５】
フレキシブル型背もたれを、本発明の思想を残して会議用椅子にも利用することができる。
【００３６】
個々の請求項の対象ばかりではなく、個々の請求項を組み合わせた対象も本発明の発明対象である。
【００３７】
要約を含めて文書に開示したすべてのデータ、特徴、特に図面に表した立体的な形態は、個別にしろ組み合わせにしろ従来技術に対して新規である限り、本発明であることを主張する。
【００３８】
以下に、本発明を実施手段から示した図面にもとづいて詳細に説明する。図面とその説明から、本発明によるその他の特徴と利点を明らかにする。
【発明を実施するための最良の形態】
【００３９】
図１から図５において、直線状または曲線状のプレートである背もたれ支持部１を共通に表している。もちろん、本発明において背もたれ支持部１は、部分的に曲がることができたり曲げ部分に区分することもできる。
【００４０】
背もたれ支持部１は下部で固定プレート３３と結合し、シートと固定されたり、じかにシートと同期する同期機構と蝶着されたりする。
【００４１】
図１と図２の実施例において、背もたれ支持部１の前で間隔をあけて並んで垂直の縦方向に延設された２つの縦渦巻きバネ２，３が配置され、当該バネは曲がることができて例えばガラス繊維強化プラスチック製であるということが重要である。
【００４２】
縦渦巻きバネ２，３の成形とバネ性能は、基本的にアーチェリーで使用する弓のプラスチック材と同様に調整することができる。
【００４３】
したがって縦渦巻きバネ２，３は全長にわたってフレキシブルで、高い機械的復元力を有している。
【００４４】
後で説明する連接システム１０は、縦渦巻きバネ２，３を各種部分に区分している。ほぼ利用者の脊柱の頸部にあたる上部６、次いでほぼ胸椎にあたる部分７、次いでほぼ脊柱前彎部にあたる部分８、次いでほぼ腸骨稜にあたる部分９に区分される。
【００４５】
シートクッション４を使用したときに、縦渦巻きバネ２，３の成形で利用者の脊柱に生理的に支障がないようにシート面５が縦渦巻きバネ２，３の下部まで延設されていることが前提となる。
【００４６】
図示している静止位置で、利用者の脊柱が縦渦巻きバネ２，３に接しない場合、縦渦巻きバネ２，３は弱い略湾曲Ｃ字状となる。
【００４７】
この場合に下部８、９は上部６、７より強い略湾曲状となる。
【００４８】
この静止位置において、利用者の脊柱はこのように形成された弱い湾曲Ｃ字状縦渦巻きバネ２，３を押し、縦渦巻きバネ２，３の主な反圧は前彎部８および腸骨稜部９に作用する。
【００４９】
縦渦巻きバネ２，３は生理的に支障のない姿勢では変形はごくわずかで、縦渦巻きバネ２，３は前記の部分６から９に区分されているので脊柱に理想的な二重Ｓ字形になる。
【００５０】
そのため、本発明では図１と図２により連接システム１０が上部三角連接部１１で構成されるようにし、角度をつけて相互配置している２つのハンドルレバー１２，１７を相互に固定締結し、板バネ１５の前側曲げ端部に配置された自在支承部１６に連結している。板バネ１５は、もう一方の側の剛体の背もたれ支持部１に配置している。
【００５１】
上部ハンドルレバー１２は自在支承部（旋回点）１３では縦渦巻きバネ２，３の背部に保持されていることが重要で、この自在支承部１３は垂直の矢印方向１４にスライドするスライド支承部も好ましい形態とする。
【００５２】
矢印方向１４に可動できるスライド支承部を自在支承部として形成することによって、上部６（頸部）も変形して肩部に適合する肩甲骨部が構成される。
【００５３】
下部ハンドルレバー１７は、下部自在支承部（旋回点）１８では縦渦巻きバネ２，３の背部に保持されている。この自在支承部１８は、上部自在支承部１３と関連して部分７を区画している。
【００５４】
自在支承部１８から離れて、下向き斜材２３の範囲で縦渦巻きバネ２の表面に対して傾斜している別のハンドルレバー１９を配置し、ハンドルレバー１９は自在支承部２０（旋回点）で縦渦巻きバネ２，３の背部に保持され、対置する固定自在支承部２１は背もたれ支持部１の保持ブロック２２の範囲に配置されている。
【００５５】
もちろん保持ブロック２２はなくてもよく、自在支承部２１をじかに背もたれ支持部１と連結させてもよい。
【００５６】
自在支承部２０は、露出した縦渦巻きバネ２，３の下側の腸骨稜部に割り当てられる部分９を区画している。
【００５７】
縦渦巻きバネ２，３の変形（学習位置）において、後部に倒れる腸骨稜と背中が特に下側に回転して位置２０’となる自在支承部２０の範囲に押し込まれる。それとともにハンドルレバー１９も右回りで下側に倒れ、縦渦巻きバネの部分９が変形する。縦渦巻きバネはこの範囲では略凸状の形態となり、利用者の後部に倒れる腸骨稜に対応する反圧を形成するために今度は凹位置に変わる。この転換運動は不快に感じられるため、利用者には生理的に合わない姿勢となることがわかる。
【００５８】
もちろん本発明では、縦渦巻きバネのこの範囲における凸状形態の部分９が凹状部分に変わるのに限定しているわけではない。この範囲では下向きハンドルレバー１９によって十分に強い反圧を形成することができる。
【００５９】
それと同時に、生理的に合わない姿勢では自在支承部１８は下側の位置１８’に移動し、全体の縦渦巻きバネ２，３はこの範囲でも凹状断面に変わる。
【００６０】
ハンドルレバー１９の旋回運動または畳み込み運動を調節するために、さらにケース固定の自在支承部２１を矢印方向２４に調整できるように構成することができる。
【００６１】
図２は、前記部分を有する縦渦巻きバネ２，３が平行配置となっていることを示している。
【００６２】
図３から図５までは、前記縦渦巻きバネ２，３がクッション支持部２５に連結されていることを示しており、縦渦巻きバネ２，３の材料はクッション支持部２５の材料と一体に連結されている。
【００６３】
図の実施例において、クッション支持部２５は、周囲の縁部３１によって周囲を仕切り、主に外側で平行に配置されたプラスチックバネ３０によって構成された内側支持面３４を構成するプラスチック体で形成されている。
【００６４】
プラスチックバネ３０はフレキシブルなプラスチック構造で、その間に空気を保持し、中間範囲と連結している。相互に平行な垂直配置の縦渦巻きバネ２，３の範囲、つまり支持面３４の一部でもある範囲と連結している。
【００６５】
したがって縦渦巻きバネ２，３はプラスチックバネ３０と同様の材料で構成され、クッション支持部２５の別の断面とともに一体のプラスチック構造をも形成している。
【００６６】
しかし、本発明はそれに限定されるわけではない。一般的な説明と同様に、別に２つの方法がある。
【００６７】
図の実施例において、クッション支持部２５の上部に、背部で上部自在支承部１３を受けるホルダー２６を備えて一貫して平坦なプラスチック構造を有している。
【００６８】
このホルダー２６に、クッション支持部２５の幅全体で略延設された曲げスリット２７が接続し、上部の曲げ部分６（頸部に相当）を構成している。
【００６９】
この曲げスリット２７に、２つの縦渦巻きバネ２，３によって側部で仕切られている中間の中央縦側凹部３２が接続している。２つの縦渦巻きバネ２，３は、縦側凹部３２の範囲でクッション支持部２５全体のプラスチック材と同じ材料のフレキシブルな締結ベース２８と締結している。
【００７０】
既述したように、プラスチックバネ３０はクッション支持部２５の材料に組み込まれている凹部２９の範囲に位置している。
【００７１】
したがって、図３と図４を比較すると、全体のクッション支持部２５は縦渦巻きバネ２，３としての構造を有し、つまり図１と図２で説明したのと同様に変形することが容易に判明する。
【００７２】
図示していない第３の実施例において、当該クッション支持部の背部に前記縦渦巻きバネ２，３を配置して、このフレキシブルなクッション支持部にフレキシブルな材料によってクッション支持部２５全体を構成している。
【００７３】
もちろん、クッション材（図示せず）の一定の反圧に限って曲がるプラスチックバネ３０はなくてもよい。プラスチックバネを別の要素と代えてもよいし、まったく備えなくてもよい。
【図面の簡単な説明】
【００７４】
【図１】フレキシブル型背もたれの２つの異なる作動位置断面を表す略図。
【図２】図１の配置の略正面図。
【図３】クッション支持部に縦渦巻きバネを統合させているフレキシブル型背もたれの第２実施形態。
【図４】図３の配置の正面図。
【図５】図３の配置の上面図。
【符号の説明】
【００７５】
１  背もたれ支持部
２  縦渦巻きバネ
３  縦渦巻きバネ
４  シートクッション
５  シート面
６  部分（頸部）
７  部分（胸椎部）
８  部分（前彎部）
９  部分（腸骨稜部）
１０  連接システム
１１  三角連接部
１２  ハンドルレバー
１３  自在支承部（またはスライド支承部）
１４  矢印方向
１５  板バネ
１６  自在支承部（板バネ１５）
１７  ハンドルレバー
１８  自在支承部（下部）１８’
１９  ハンドルレバー
２０  自在支承部２０’
２１  自在支承部
２２  保持ブロック
２３  斜材
２４  矢印方向
２５  クッション支持部
２６  ホルダー
２７  曲げスリット
２８  締結ベース
２９  凹部
３０  プラスチックバネ
３１  縁部
３２  縦側凹部
３３  固定プレート
３４  支持面
【図１】
2008302229.tif 000003
【図２】
2008302229.tif 000004
【図３】
2008302229.tif 000005
【図４】
2008302229.tif 000006
【図５】
2008302229.tif 000007